(57)【要約】【課題】  蓋を閉じる際に原稿が所定の位置からずれるのを阻止するスキャナ付きプリンタ装置と、スキャナ装置を提供する。【解決手段】  スキャナ付きプリンタ装置１は、スキャナ本体部３とプリンタ本体部５とを備えている。スキャナ本体部３の上部には、載置された原稿を上方から押えるために、給紙トレイ９が取付けられている側を回動軸として開閉自在の蓋７が設けられている。蓋７は可撓性部材からなり、たとえばポリプロピレンから形成されている。また、スキャナ本体部３の上部には、用紙をプリンタ本体部５へ供給する給紙トレイ９が配設されている。蓋７には、蓋７を開ける際に蓋７に載っている物が給紙トレイ９の側に向かって落下しないように、蓋７にガード部材１１が一体的に形成されている。【選択図】        図３
2006074604.tif 000002
【特許請求の範囲】
【請求項１】
原稿の情報を印刷するためのプリンタ本体部と、
前記プリンタ本体部の上に配設され、原稿を載置して原稿の情報を読み込むためのスキャナ本体部と、
前記スキャナ本体部に設けられ、一端側を回動軸として他端側を回動させることにより開閉可能にして載置された原稿を上方から押えるための蓋と、
前記蓋の回動軸が位置する側に配設され、前記プリンタ本体部へ用紙を供給するための給紙トレイと、
前記蓋に設けられ、前記蓋を開けることによって前記蓋の上にある物が前記給紙トレイの側に向かって落下するのを阻止するためのガード部材と
を備え、
前記蓋は可撓性部材によって形成され、前記蓋と前記ガード部材とは一体的に形成された、スキャナ付きプリンタ装置。
【請求項２】
原稿を載置して原稿の情報を読み込むためのスキャナ本体部と、
前記スキャナ本体部に開閉可能に取付けられ、載置された原稿を上方から押えるための蓋と
を備え、
前記蓋は可撓性部材によって形成された、スキャナ装置。
【請求項３】
前記スキャナ本体部の下方に配設され、原稿の情報を印刷する機能を有するプリンタ本体部を備えた、請求項２記載のスキャナ装置。
【請求項４】
前記蓋に設けられ、前記蓋を開けることによって前記蓋の上にある物が落下するのを阻止するガード部材を備えた、請求項２または３に記載のスキャナ装置。
【請求項５】
前記プリンタ本体部へ用紙を供給するための給紙トレイを備え、
前記ガード部材は前記給紙トレイの側に向かって物が落下するのを阻止するように配設された、請求項４記載のスキャナ装置。
【請求項６】
前記蓋と前記ガード部材とは一体的に形成された、請求項４または５に記載のスキャナ装置。
【発明の詳細な説明】
【技術分野】
【０００１】
本発明はスキャナ付きプリンタ装置およびスキャナ装置に関し、特に、スキャナ本体に載置された原稿を上方から押える蓋を備えたスキャナ付きプリンタ装置とスキャナ装置に関するものである。
【背景技術】
【０００２】
従来、画像等の情報を印刷するプリンタ機能に原稿の情報を読み込ませるスキャナ機能を付加させたスキャナ付きプリンタ装置がある。図７に示すように、この種のスキャナ付きプリンタ装置１０１では、原稿の情報を読み込むスキャナ本体部１０３と、読み込まれた情報に基づいてこれを印刷するプリンタ本体部１０５とを一体化させており、特に、原稿をスキャナ本体部１０３に載置させる関係上、プリンタ本体部１０５の上にスキャナ本体部１０３が配設されている。
【０００３】
スキャナ本体部１０３の上部には、プリンタ本体部１０５に所定のサイズの用紙を供給するための給紙トレイ１０９が取付けられている。また、スキャナ本体部１０３の上部には、載置された原稿を上方から押えるために、給紙トレイ１０９が取付けられている側を回動軸として開閉自在の蓋１０７が設けられている。その蓋１０７には、蓋１０７を開ける際に蓋１０７に載っている物が給紙トレイ１０９の側に向かって落下しないように、落下を阻止するガード部材１１１が設けられている。プリンタ本体部１０５には、印刷された用紙を排出するための用紙排出口１０６が設けられている。
【０００４】
次に、上述したスキャナ付きプリンタ装置１０１の動作について説明する。図８に示すように、まず、蓋１０７を開けてスキャナ本体部１０３の上部に配設されたガラス板１０４上の所定の位置に原稿（図示せず）を載置する。次に、蓋１０７を閉じ、その状態でスキャナ本体部１０３によって原稿の情報が読み込まれる。原稿の情報の読み取りが完了すると蓋１０７を開けて原稿を取り除き、新たな原稿をガラス板１０４上に載置する。以下、同様の動作を繰り返すことにより原稿の情報が順次読み込まれることになる。
【０００５】
一方、プリンタ本体部１０５では、読み取られた各原稿の情報が用紙に印刷され、印刷が完了した用紙は用紙排出口１０６から排出されることになる。従来のスキャナ付きプリンタ装置は上記のように構成され動作する。なお、蓋を備えた従来のスキャナ装置は、たとえば特許文献１〜特許文献３に開示されている。
【特許文献１】特開平６−１４１３９号公報
【特許文献２】特開２００２−７７４８５号公報
【特許文献３】実開昭６３−５９４５２号公報
【発明の開示】
【発明が解決しようとする課題】
【０００６】
しかしながら、従来のスキャナ付きプリンタ装置では次のような問題点があった。上述したように、原稿の情報を読み取る際には、蓋１０７を開けてスキャナ本体部１０３のガラス板１０４上の所定の位置に原稿を載置した後に蓋１０７が閉じられることになる。その蓋１０７は、一般に耐衝撃性ポリスチレン（High Impact Poly Styrene）から形成されている。耐衝撃性ポリスチレンから形成された蓋１０７は比較的硬いために、蓋１０７を閉じる動作によっては蓋１０７とスキャナ本体部１０３との間に風圧が生じて、スキャナ本体部１０３に載置された原稿が所定の位置からずれることがあった。そのため、原稿の情報を原稿どおりに読み込むことができないおそれがあった。
【０００７】
本発明は上記問題点を解決するためになされたものであり、一つの目的は、蓋を閉じる際に原稿が所定の位置からずれるのを阻止するスキャナ付きプリンタ装置を提供することであり、他の目的はそのようなスキャナ装置を提供することである。
【課題を解決するための手段】
【０００８】
本発明に係るスキャナ付きプリンタ装置は、プリンタ本体部とスキャナ本体部と蓋と給紙トレイとガード部材とを備えている。プリンタ本体部は原稿の情報を印刷する。スキャナ本体部はプリンタ本体部の上に配設され、原稿を載置して原稿の情報を読み込む。蓋はスキャナ本体部に設けられ、一端側を回動軸として他端側を回動させることにより開閉可能にして載置された原稿を上方から押える。給紙トレイは蓋の回動軸が位置する側に配設され、プリンタ本体部へ用紙を供給する。ガード部材は蓋に設けられ、蓋を開けることによって蓋の上にある物が給紙トレイの側に向かって落下するのを阻止する。蓋は可撓性部材によって形成され、蓋とガード部材とは一体的に形成されている。
【０００９】
この構成によれば、スキャナ本体部に載置された原稿を覆う蓋として、可撓性材料から形成された蓋が適用されていることで、蓋を開けた状態では、蓋に作用する重力によって蓋は下方に向かって凸状に撓ることになる。これにより、蓋を閉じる動作の初期の段階において、スキャナ本体部に載置された原稿の端部が蓋とスキャナ本体部との間に挟み込まれることになる。その結果、蓋を閉じる際に蓋とスキャナ本体部との間に風圧が生じたとしても、スキャナ本体部に載置された原稿が所定の位置からずれることがなくなって、原稿の情報を確実に読み込むことができる。また、蓋にガード部材が一体的に形成されていることで、そのようなガード部材が蓋とは別の部材から形成された場合と比較すると、部品点数の低減を図って製造コストの削減も図ることができる。
【００１０】
本発明に係るスキャナ装置は、スキャナ本体部と蓋とを備えている。スキャナ本体は原稿を載置して原稿の情報を読み込む。蓋はスキャナ本体部に開閉可能に取付けられ、載置された原稿を上方から押える。その蓋は可撓性部材によって形成されている。
【００１１】
この構成によれば、蓋が可撓性材料から形成されていることで、蓋を開けた状態では、蓋に作用する重力によって蓋は下方に向かって凸状に撓ることになる。これにより、蓋を閉じる動作の初期の段階において、スキャナ本体部に載置された原稿の端部が蓋とスキャナ本体部との間に挟み込まれることになり、蓋を閉じる際に蓋とスキャナ本体部との間に風圧が生じたとしても、スキャナ本体部に載置された原稿が所定の位置からずれることがなくなって、原稿の情報を確実に読み込むことができる。
【００１２】
また、スキャナ本体部で読み込んだ原稿の情報を印刷するために、スキャナ本体部の下方に原稿の情報を印刷する機能を有するプリンタ本体部を配設してもよい。
【００１３】
さらに、蓋を開けることによって蓋の上にある物が落下するのを阻止するために、蓋にガード部材を備えていてもよい。
【００１４】
また、プリンタ本体部へ用紙を供給するための給紙トレイを備える場合には、ガード部材は給紙トレイの側に向かって物が落下するのを阻止するように配設されていることが好ましい。
【００１５】
特に、その蓋とガード部材とは、製造コスト削減のために一体的に形成されていることが好ましい。
【発明を実施するための最良の形態】
【００１６】
本発明の実施の形態に係るスキャナ付きプリンタ装置について説明する。図１に示すように、スキャナ付きプリンタ装置１では、原稿の情報を読み込むスキャナ本体部３と、読み込まれた情報を印刷するプリンタ本体部５とを備え、プリンタ本体部５の上にスキャナ本体部３が一体的に配設されている。スキャナ本体部３の上部には、プリンタ本体部５に所定のサイズの用紙を供給するための給紙トレイ９が取付けられている。また、プリンタ本体部５には、印刷された用紙を排出するための用紙排出口６が設けられている。
【００１７】
スキャナ本体部３の上部には、載置された原稿を上方から押えるために、給紙トレイ９が取付けられている側を回動軸として開閉自在の蓋７が設けられている。蓋７は可撓性部材からなり、たとえばポリプロピレンから形成されている。また、蓋７には、蓋７を開ける際に蓋７に載っている物が給紙トレイ９の側に向かって落下しないように、落下を阻止するガード部材１１が設けられている。そのガード部材１１は、図２に示すように、蓋７に一体的に設けられている。
【００１８】
次に、上述したスキャナ付きプリンタ装置１の動作について説明する。図３に示すように、まず、蓋７を開けてスキャナ本体部３の上部に配設されたガラス板４を露出させ、図４に示すように、そのガラス板４上の所定の位置に原稿１３を載置する。次に、図５に示すように、蓋７の一端部側を徐々に下げ、図６に示すように、蓋７を完全に閉じて原稿１３を蓋７で覆う。この状態でスキャナ本体部３によって原稿１３の情報が読み込まれる。原稿１３の情報の読み取りが完了すると蓋７を開けて原稿１３を取り除き、新たな原稿（図示せず）をガラス板４上に載置し、以下、前述した動作と同じ動作を繰り返すことにより原稿の情報が順次読み込まれることになる。
【００１９】
このようにしてスキャナ本体部３にて読み込まれた各原稿の情報は、プリンタ本体部５において、給紙トレイ９から給紙された用紙（図示せず）に印刷される。印刷が完了した用紙は用紙排出口６から排出されることになる。
【００２０】
上述したスキャナ付きプリンタ装置１では、スキャナ本体部３に載置された原稿１３を覆う蓋７として、ポリプロピレンなどの可撓性部材から形成された蓋７が適用されている。蓋７が可撓性部材から形成されていることで、図３に示すように、蓋７を開けた状態では、蓋７に作用する重力によって蓋７は下方に向かって凸状に撓ることになる。これにより、図４に示すように、蓋７を閉じる動作の初期の段階において、ガラス板４上に載置された原稿１３の端部が蓋７とガラス板４との間に挟み込まれることになる。その結果、蓋７を閉じる際に蓋７とスキャナ本体部３との間に風圧が生じたとしても、ガラス板４上に載置された原稿１３が所定の位置からずれることがなくなって、原稿１３の情報を確実に読み込むことができる。
【００２１】
また、上述したスキャナ付きプリンタ装置１では、蓋７にガード部材１１が一体的に形成されている。これにより、そのようなガード部材が蓋とは別の部材から形成された場合と比較すると、部品点数の低減を図って製造コストの削減も図ることができる。
【００２２】
なお、上述した実施の形態では、蓋７の材料としてポリプロピレンを例に挙げて説明したが、可撓性を有する材料であればポリプロピレンに限られるものではなく他の材料を用いてもよい。また、スキャナ付きプリンタ装置を例に挙げて説明したが、スキャナ機能だけを有するスキャナ装置に蓋７を適用してもよい。
【００２３】
今回開示された実施の形態はすべての点で例示にすぎず、本発明は上記で説明した範囲ではなく、特許請求の範囲によって示され、特許請求の範囲と均等の意味および範囲でのすべての変更が含まれることが意図される。
【図面の簡単な説明】
【００２４】
【図１】本発明の実施の形態に係るスキャナ付きプリンタ装置の斜視図である。
【図２】同実施の形態において、図１に示す断面線ＩＩ−ＩＩにおける部分断面図である。
【図３】同実施の形態において、スキャナ付きプリンタ装置の動作を説明するための蓋を開けた状態を示す斜視図である。
【図４】同実施の形態において、スキャナ付きプリンタ装置の動作を説明するための図３に示す状態における部分断面図である。
【図５】同実施の形態において、スキャナ付きプリンタ装置の動作を説明するための図４に示す状態の次の状態を示す部分断面図である。
【図６】同実施の形態において、スキャナ付きプリンタ装置の動作を説明するための図５に示す状態の次の状態を示す部分断面図である。
【図７】従来のスキャナ付きプリンタ装置の斜視図である。
【図８】従来のスキャナ付きプリンタ装置の動作を説明するための蓋を開けた状態を示す斜視図である。
【符号の説明】
【００２５】
１  スキャナ付きプリンタ装置、３  スキャナ本体部、４  ガラス板、５  プリンタ本体部、６  用紙排出口、９  給紙トレイ、１１  ガード部材、１３  原稿。
【図１】
2006074604.tif 000003
【図２】
2006074604.tif 000004
【図３】
2006074604.tif 000005
【図４】
2006074604.tif 000006
【図５】
2006074604.tif 000007
【図６】
2006074604.tif 000008
【図７】
2006074604.tif 000009
【図８】
2006074604.tif 000010